【手続補正書】
【提出日】平成18年10月20日(2006.10.20)
【手続補正１】
【補正対象書類名】明細書
【補正対象項目名】特許請求の範囲
【補正方法】変更
【補正の内容】
【特許請求の範囲】
【請求項１】  物体側から順に、正の屈折力の第１群、正の屈折力の第２群、負の屈折力の第３群と、該３つのレンズ群を介して形成される物体像を正立正像とする正立光学系とで構成される対物レンズであって、該第１群、第２群、第３群のいずれか一つのレンズ群を光軸と垂直な方向に移動して像ブレの補正を行なうことを特徴とする防振機能を有した対物レンズ。
【請求項２】  対物レンズ全系の焦点距離をｆ、前記第１群の焦点距離をｆ１としたとき、
０．８＜ｆ１／ｆ＜１．２
の条件式を満足することを特徴とする請求項１の防振機能を有した対物レンズ。
【請求項３】  対物レンズ全系の焦点距離をｆ、前記第２群の焦点距離をｆ２としたとき、
０．５＜ｆ２／ｆ＜０．９
の条件式を満足することを特徴とする請求項１又は２の防振機能を有した対物レンズ。
【請求項４】  対物レンズ全系の焦点距離をｆ、前記第３群の焦点距離をｆ３としたとき、
０．２＜｜ｆ３／ｆ｜＜０．６
の条件式を満足することを特徴とする請求項１から３のいずれか１項の防振機能を有した対物レンズ。
【請求項５】  対物レンズ全系の焦点距離をｆ、前記第１群と第２群の主点間隔をｅ１２としたとき、
０．１５＜ｅ１２／ｆ＜０．３５
の条件式を満足することを特徴とする請求項１から４のいずれか１項の防振機能を有した対物レンズ。
【請求項６】  対物レンズ全系の焦点距離をｆ、前記第２群と第３群の主点間隔をｅ２３としたとき、
０．１＜ｅ２３／ｆ＜０．３
の条件式を満足することを特徴とする請求項１から５のいずれか１項の防振機能を有した対物レンズ。
【請求項７】  前記正立光学系の長さを空気換算したときの物体側の第１面から近軸像面までの距離をＬ、対物レンズ全系の焦点距離をｆとするとき、
Ｌ／ｆ＜０．９
なる条件を満足することを特徴とする請求項１から６のいずれか１項の防振機能を有した対物レンズ。
【請求項８】  前記第１群、第２群、第３群の３次の球面収差係数をＩ１，Ｉ２，Ｉ３、該第１群、第２群、第３群の３次のコマ収差係数をＩＩ１，ＩＩ２，ＩＩ３とするとき、
｜Ｉ１｜＜３
｜Ｉ２｜＜３
｜Ｉ３｜＜３
｜ＩＩ１｜＜４
｜ＩＩ２｜＜４
｜ＩＩ３｜＜４
なる条件を満足することを特徴とする請求項１から７のいずれか１項の防振機能を有した対物レンズ。
【請求項９】  請求項１から８のいずれか１項の防振機能を有した対物レンズと正の屈折力の接眼レンズから構成されるレンズ系を観察者の左右眼用に１対有することを特徴とする双眼鏡。
【手続補正２】
【補正対象書類名】明細書
【補正対象項目名】００１１
【補正方法】変更
【補正の内容】
【００１１】
【課題を解決するための手段】
請求項１の発明の対物レンズは、物体側から順に、正の屈折力の第１群、正の屈折力の第２群、負の屈折力の第３群と、該３つのレンズ群を介して形成される物体像を正立正像とする正立光学系とで構成される対物レンズであって、該第１群、第２群、第３群のいずれか一つのレンズ群を光軸と垂直な方向に移動して像ブレの補正を行なうことを特徴としている。
【手続補正３】
【補正対象書類名】明細書
【補正対象項目名】００１２
【補正方法】変更
【補正の内容】
【００１２】
請求項２の発明は請求項１の発明において対物レンズ全系の焦点距離をｆ、前記第１群の焦点距離をｆ１としたとき、
０．８＜ｆ１／ｆ＜１．２
の条件式を満足することを特徴としている。
【手続補正４】
【補正対象書類名】明細書
【補正対象項目名】００１３
【補正方法】変更
【補正の内容】
【００１３】
請求項３の発明は請求項１又は２の発明において、対物レンズ全系の焦点距離をｆ、前記第２群の焦点距離をｆ２としたとき、
０．５＜ｆ２／ｆ＜０．９
の条件式を満足することを特徴としている。
【手続補正５】
【補正対象書類名】明細書
【補正対象項目名】００１４
【補正方法】変更
【補正の内容】
【００１４】
請求項４の発明は請求項１から３のいずれか１項の発明において、対物レンズ全系の焦点距離をｆ、前記第３群の焦点距離をｆ３としたとき、
０．２＜｜ｆ３／ｆ｜＜０．６
の条件式を満足することを特徴としている。
【手続補正６】
【補正対象書類名】明細書
【補正対象項目名】００１５
【補正方法】変更
【補正の内容】
【００１５】
請求項５の発明は請求項１から４のいずれか１項の発明において、対物レンズ全系の焦点距離をｆ、前記第１群と第２群の主点間隔をｅ１２としたとき、
０．１５＜ｅ１２／ｆ＜０．３５
の条件式を満足することを特徴としている。
【手続補正７】
【補正対象書類名】明細書
【補正対象項目名】００１６
【補正方法】変更
【補正の内容】
【００１６】
請求項６の発明は請求項１から５のいずれか１項の発明において、対物レンズ全系の焦点距離をｆ、前記第２群と第３群の主点間隔をｅ２３としたとき、
０．１＜ｅ２３／ｆ＜０．３
の条件式を満足することを特徴としている。
【手続補正８】
【補正対象書類名】明細書
【補正対象項目名】００１７
【補正方法】変更
【補正の内容】
【００１７】
請求項７の発明は請求項１から６のいずれか１項の発明において、前記正立光学系の長さを空気換算したときの物体側の第１面から近軸像面までの距離をＬ、対物レンズ全系の焦点距離をｆとするとき、
Ｌ／ｆ＜０．９
なる条件を満足することを特徴としている。
【手続補正９】
【補正対象書類名】明細書
【補正対象項目名】００１８
【補正方法】変更
【補正の内容】
【００１８】
請求項８の発明は請求項１から７のいずれか１項の発明において、前記第１群、第２群、第３群の３次の球面収差係数をＩ１，Ｉ２，Ｉ３、該第１群、第２群、第３群の３次のコマ収差係数をＩＩ１，ＩＩ２，ＩＩ３とするとき、
｜Ｉ１｜＜３
｜Ｉ２｜＜３
｜Ｉ３｜＜３
｜ＩＩ１｜＜４
｜ＩＩ２｜＜４
｜ＩＩ３｜＜４
なる条件を満足することを特徴としている。
【手続補正１０】
【補正対象書類名】明細書
【補正対象項目名】００１９
【補正方法】変更
【補正の内容】
【００１９】
請求項９の発明の双眼鏡は、請求項１から８のいずれか１項の防振機能を有した対物レンズと正の屈折力の接眼レンズから構成されるレンズ系を観察者の左右眼用に１対有することを特徴としている。
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】